(57)【要約】【課題】長期の使用により、毛束保持部材への接着剤の接着力が低下したりしても、毛束保持部材からの毛束の抜けを確実に防止できるブラシを提供する。【解決手段】ブラシ１０は、横長の略長方形状で肉厚の柄１１と、柄１１の底面に立設された複数の小ブラシ部１５とにより構成されている。小ブラシ部１５は、毛束１６とこれを支持する樹脂製の毛束保持部材１７とにより構成されている。毛束保持部材１７は、下端側の締付部１８とその内側の位置決め部１９と、ネジ溝を有する中間部２１と、上側部２２とを有し、上側部２２外周面の１箇所に貫通孔２３を設けている。毛束保持部材１７内に毛束１６の一端側が挿入された状態で、毛束保持部材１７内に接着剤２４が挿入されて毛束１６に含浸されて硬化するが、接着剤の一部は貫通孔２３内に進入した係止部２４ａとなる。【選択図】図８
2009022540.tif 000002
【特許請求の範囲】
【請求項１】
一方向に複数の毛材を揃えて束ねた毛束の一端側が筒状の毛束保持部材内に挿嵌されると共に、該毛束保持部材内において毛束に含浸されて硬化した接着剤によって該毛束保持部材に固着されており、該毛束保持部材が柄部に取り付けられてなるブラシにおいて、前記毛束保持部材に貫通孔を設けると共に、前記接着剤が該貫通孔内にも充填されていることを特徴とするブラシ。
【請求項２】
一方向に複数の毛材を揃えて束ねた毛束の一端側が筒状の毛束保持部材内に挿嵌されると共に、該毛束保持部材内において毛束に含浸されて硬化した接着剤によって該毛束保持部材に固着されており、該毛束保持部材が柄部に取り付けられてなるブラシにおいて、前記毛束保持部材に少なくとも１つの貫通孔を設けると共に、該貫通孔を通して前記毛束内を貫通すると共に、端部が該貫通孔に係止される支持棒を設けたことを特徴とするブラシ。
【請求項３】
前記接着剤が該貫通孔内にも充填されていることを特徴とする請求項２に記載のブラシ。
【発明の詳細な説明】
【技術分野】
【０００１】
本発明は、毛束の一端側が筒状の毛束保持部材内に挿嵌されると共に、毛束に含浸されて硬化した接着剤によって毛束保持部材に固着され、毛束保持部材が柄部に取り付けられてなるブラシに関する。
【背景技術】
【０００２】
従来、この種のブラシとしては、例えば特許文献１に示すように、剛性材料で作られた毛束挿嵌筒（毛束保持部材）内に、毛束の基部を挿嵌させ、この状態で基部に接着剤を含浸・硬化させることにより、基部を毛束挿嵌筒内に固着させる毛部を形成し、毛束挿嵌筒の基端側に形成した嵌合部を、柄部の先端に形成した被嵌合部に嵌着させることにより毛部を柄部先端に固定したものが知られている。しかし、このブラシの場合、長期の使用により、接着剤が収縮したり毛束挿嵌筒への接着力が低下したりし、その結果、毛束挿嵌筒から毛部が抜け易くなるという問題がある。
【特許文献１】特開平７−１０８０１０号公報
【発明の開示】
【発明が解決しようとする課題】
【０００３】
本発明は、上記問題を解決しようとするもので、長期の使用により、接着剤が収縮したり毛束保持部材に対する接着力が低下したりしても、毛束保持部材からの毛束の抜けを確実に防止できるブラシを提供することを目的とする。
【課題を解決するための手段】
【０００４】
上記目的を達成するために、本発明の構成上の特徴は、一方向に複数の毛材を揃えて束ねた毛束の一端側が筒状の毛束保持部材内に挿嵌されると共に、毛束保持部材内において毛束に含浸されて硬化した接着剤によって毛束保持部材に固着されており、毛束保持部材が柄部に取り付けられてなるブラシにおいて、毛束保持部材に貫通孔を設けると共に、接着剤が貫通孔内にも充填されていることにある。
【０００５】
上記のように構成した本発明においては、毛束に含浸されて硬化した接着剤が毛束保持部材に設けた貫通孔内にも一体で充填されているため、貫通孔内への接着剤の進入部分によって毛束が貫通孔に係止された状態となっている。その結果、本発明によれば、ブラシの長期の使用により、接着剤が収縮したり毛束保持部材に対する接着力が低下したりしても、毛束保持部材からの毛束の抜けを確実に防止できる。
【０００６】
また、本発明の他の特徴は、一方向に複数の毛材を揃えて束ねた毛束の一端側が筒状の毛束保持部材内に挿嵌されると共に、毛束保持部材内において毛束に含浸されて硬化した接着剤によって毛束保持部材に固着されており、毛束保持部材が柄部に取り付けられてなるブラシにおいて、毛束保持部材に少なくとも１つの貫通孔を設けると共に、貫通孔を通して毛束内を貫通すると共に、端部が貫通孔に係止される支持棒を設けたことにある。
【０００７】
他の特徴においては、毛束保持部材に貫通孔を設けると共に、毛束保持部材に設けた貫通孔を通して支持棒が毛束内を貫通することにより、含浸し硬化した接着剤によって毛束と一体になって支持棒も固定され、さらに支持棒の端部が貫通孔に係止しているので、毛束が支持棒を介して貫通孔に係止された状態になっている。その結果、他の特徴においても、ブラシの長期の使用により、接着剤が収縮したり毛束保持部材に対する接着力が低下したりしても、毛束保持部材からの毛束の抜けを確実に防止できる。また、他の特徴において、さらに接着剤が貫通孔内にも充填されることにより、毛束保持部材からの毛束の抜けが一層確実に防止される。
【発明の効果】
【０００８】
本発明においては、毛束に含浸されて硬化した接着剤が毛束保持部材に設けた貫通孔内にも一体で充填されることにより、毛束が貫通孔内の接着剤によって貫通孔に係止された状態となり、あるいは毛束保持部材に設けた貫通孔に端部が係止された支持棒が毛束内を貫通し、接着剤が含浸された毛束が支持棒にも固定されることにより、毛束が支持棒を介して貫通孔に係止された状態になっている。その結果、本発明においては、ブラシの長期の使用により、接着剤が収縮したり毛束保持部材に対する接着力が低下したりしても、毛束保持部材からの毛束の抜けを確実に防止できる。
【発明を実施するための最良の形態】
【０００９】
以下、本発明の一実施例について図面を用いて説明する。図１〜図４は、実施例１に係る調理、清掃等に用いられるブラシを正面図、底面図、平面図及び断面図により概略的に示したものである。ブラシ１０は、横長の略長方形状で肉厚の柄１１と、柄１１の底面の６箇所に立設された６個の小ブラシ部１５とにより構成されている。以下、ブラシの一端と他端については、図の左端を一端、右端を他端に合わせるものとする。
【００１０】
柄１１は、樹脂製あるいは木製で、上面１１ａと底面１１ｂが互いに平行な平面であるが、底面１１ｂにおいて長手方向中央から他端側寄り位置において他端に向けてわずかに傾斜した傾斜面１１ｃになっている。傾斜面１１ｃに対応した部分において、柄１１の側面１１ｄが切りかかれて放物線状に突出した形状になっている。さらに、側面１１ｄの上面１１ａから厚さ方向略１／３の外周部１１ｅが、上面１１ａに向けて円弧状に丸められており、柄１１が握りやすいようにされている。傾斜面１１ｃ左側の底面１１ｂには、小ブラシ部１５を取り付けるための取付孔１２が左端から右端にかけてそれぞれ２個、１個、２個、１個の６個が長手方向に交互に等間隔でかつ幅方向に対称な位置にそれぞれ設けられている。また、柄１１の幅方向中央でかつ他端近傍位置には、釣下げ孔１３が厚さ方向に貫通して設けられている。
【００１１】
小ブラシ部１５は、図５から図８に示すように、毛束１６と、これを支持する樹脂製の毛束保持部材１７とにより構成されている。毛束１６は、天然繊維製や、アクリル、ポリプロピレン、ＰＢＴ，ナイロン等の化学繊維製や、動物の毛等の毛材を用い、毛の量、長さ、素材の混合比を調整して束ね、または毛の量、長さを調整した単一原料の素材を円柱形に束ねたものであり、長手方向の略半分が毛束保持部材１７内全体に緊密に挿嵌されるようになっている。
【００１２】
毛束保持部材１７は、樹脂製の円筒状で両端が開放された中心孔１７ａを有する薄肉の筒状体である。樹脂は，ＡＢＳ，ＰＰ等であり、銀の微粒子を含んだ防黴性を有したものが好ましい。毛束保持部材１７は、長手方向をほぼ１／３で仕切った下側部と中間部と上側部に分けられており、下側部は、下端側の締付部１８とその内側の位置決め部１９になっている。位置決め部１９は、円板形状で合ってその外径が柄１１の取付孔１２の内径より大きくなっている。締付部１８は、位置決め部１９の周方向４箇所を切り欠いて軸方向から見て正方形に形成されており、毛束保持部材１７を取付孔１２に締め付ける際に締付治具（図示しない）を係合させて締め付けを容易にするために用いられる。中間部２１は、取付孔１２よりわずかに小径であり、外周面には同軸状にネジ溝が形成されている。上側部２２は、中間部２１よりさらに小径であり、外周面の１箇所に貫通孔２３を設けている。毛束保持部材１７内には毛束１６の一端側が挿入されており、毛束保持部材１７内に接着剤２４が注入されて毛束１６に含浸されて硬化しており、接着剤２４の一部は貫通孔２３内に進入して係止部２４ａとなっている。なお、貫通孔２３の数については、２個以上であってもよい。
【００１３】
小ブラシ部１５の形成については、毛束１６の一端側略半分を毛束保持部材１７内に挿入し、毛束保持部材１７の貫通孔２３を外側からテープ等で塞いで、毛束保持部材１７内に接着剤２４を注入し、毛束保持部材１７内の毛束１６に含浸させる。これにより、毛束１６に浸透した接着剤２４の一部が貫通孔２３内にも進入し、接着剤２４が硬化することによって小ブラシ部１５に形成される。ここで、接着剤２４の一部が貫通孔２３に進入して硬化した係止部２４ａによって毛束１６が毛束保持部材１７に強固に取り付けられた状態になる。このように形成された小ブラシ部１５は、柄１１の取付孔１２に接着用の樹脂２５を収容した状態で、上側部１１から挿入することにより、位置決め部１９が取付孔１２の開口周囲に当るまで挿入される。なお、取付孔１２に収容した樹脂２５と毛束保持部材１７の接着性が良くない組合せとすることにより、樹脂２５の硬化後にネジ溝を有する中間部２１を利用して毛束保持部材１７を回して取付孔１２から取り外すことができ、小ブラシ部１５を簡単に取り替えることができる。
【００１４】
上記実施例１によれば、毛束１６に含浸された接着剤２４の一部が毛束保持部材１７に設けた貫通孔２３内にも一体で充填されて係止部２４ａとなっていることにより、毛束１６が係止部２４ａによって貫通孔２３に係止された状態となっている。その結果、実施例１においては、ブラシ１０の長期の使用により、接着剤２４が収縮したり毛束保持部材１７に対する接着剤２４の接着力が低下したりしても、毛束保持部材１７からの毛束１６の抜けを確実に防止できる。また、実施例１によれば、樹脂材料の硬化後にネジ溝を有する中間部２１を利用して毛束保持部材１７を回して取付孔１２から取り外すことができる。これにより、毛束の痛んだ小ブラシ部１５のみを選んで簡単に取り替えることができるため、柄１１及び小ブラシ部１５の有効活用が可能になり、相対的にブラシ１０のコストを低減できる。さらに、毛束保持部材１７が防黴性の樹脂材料で形成されていることにより、水分による毛束の黴の発生を抑制できる。
【００１５】
つぎに、上記実施例１の変形例について図面を用いて説明する。図９は、変形例に係るブラシである泡立て用ブラシを正面図により示したものである。泡立て用ブラシ３０は、円柱状の毛束３１と、毛束３１を保持する毛束保持部材３２と、毛束保持部材３２に取り付けられる柄部４１とを備えている。毛束３１は上記毛束１６と同様の毛材を束ねたものである。毛束保持部材３２は、金属製の薄肉のストレートな円筒形の筒状体であり、軸方向上端側近傍位置において径方向に対応する２箇所にそれぞれ貫通孔３３を有している。なお、貫通孔３３の数については、１個でも３個以上でもよい。
【００１６】
毛束３１は、図１０に示すように、一端側の略１／３長さの部分が毛束保持部材３２内に挿入され、毛束保持部材３２によって締め付けられており、根元部から先端に向けて軸心に対して径方向外方にわずかに広がった円錐状になっており、先端面が軸方向外方にわずかに膨出した凸曲面状になっている。毛束保持部材３２内には接着剤３４を注入されており、毛束３１に含浸した接着剤３４の一部が貫通孔３３内にも進入して硬化した係止部３５になっている。これにより、接着剤３４で一体に結合された毛束３１が、貫通孔３３に進入した係止部３５によって貫通孔３３に係止した状態になる。その結果、毛束３１が毛束保持部材３２に強固に取り付けられた状態になる。毛束保持部材３２への接着剤３４の注入については、実施例１と同様、毛束保持部材３２の貫通孔３３を外側からテープ等で塞いで、毛束保持部材３２内に接着剤３４を注入することにより行われる。
【００１７】
柄部４１は、図１１に示すように、木製の柱状であって、その上端４３ａと下端４４ａが長手方向に対して直角な平坦面となっており、軸方向の中間部分が全周にわたって軸心方向に向けて曲面状に凹んだ凹み部４２になっている。柄部４１の凹み部４２を挟んだ軸方向の一端側がほぼ円筒状で長さの短い取付部４３であり、軸方向の他端側が他端近傍を中心として軸方向の両側に広がる径方向外方に山状に膨らんだ膨れ部４４になっており、全体として略ひょうたん形状になっている。膨れ部４４の外径は、毛束３１の外径よりわずかに大きくされている。これにより、柄部４１の膨れ部４４を手で握って指先を凹み部４２に当てることにより、手で容易に把持できる形状になっている。取付部４３には、他端面から凹んだ円形の取付孔４５が設けられている。取付孔４５は、内径が上記毛束保持部材３２の外径よりわずかに小さく、その深さは、毛束保持部材３２の軸方向長さの略半分の長さになっている。上記毛束３１が固定された毛束保持部３２を柄部４１の取付孔４５に圧入によって挿嵌して柄部４１に固定することにより、泡立ブラシ３０が得られる。
【００１８】
上記変形例によれば、毛束３１に充填された接着剤３４が毛束保持部材３２に設けた貫通孔３３内にも一体で充填された係止部３５となっているため、毛束３１が接着剤３４によって貫通孔３３に係止された状態となっている。その結果、変形例においても、実施例１と同様に、泡立てブラシ３０の長期の使用により、毛束保持部材３２に対する接着剤３４の接着力が低下したりしても、毛束保持部材３２からの毛束３１の抜けを確実に防止できる。
【００１９】
つぎに、実施例２について図面を用いて説明する。図１２，図１３は、実施例２に係る上記柄１１に用いる小ブラシ部１５Ａを左側面図及び断面図により概略的に示したものである。実施例２において、毛束１６については、上記実施例１と同様である。毛束保持部材１７Ａは、上記貫通孔２３に加えて、その径方向反対側位置に貫通孔２６を設けている。毛束１６が挿嵌された毛束保持部材１７Ａに対して、毛束保持部材１７Ａの貫通孔２３に支持棒２７が挿嵌され、毛束１６を貫通して反対側の貫通孔２６に挿嵌されている。その状態で、毛束保持部材１７内に接着剤２３が注入され、支持棒２７が貫通した状態で毛束１６が硬化した接着剤により一体で固定される。毛束保持部材１７Ａのその他の構成については上記毛束保持部材１７と同様である。
【００２０】
上記実施例２によれば、毛束保持部材１７Ａに一対の貫通孔２３，２６を設けると共に、貫通孔２３，２６を通して支持棒２７が毛束１６内に挿入されることにより、接着剤２４の含浸した毛束１６が支持棒２７にも固定され、さらに支持棒２７の両端部が貫通孔２３，２６に係止されているので、毛束１６が支持棒２７を介して貫通孔２３，２６に固定された状態になっている。その結果、実施例２においても、ブラシの長期の使用により、接着剤２４が収縮したり毛束保持部材１７Ａに対する接着力が低下したりしても、毛束保持部材１７Ａからの毛束１６の抜けを確実に防止できる。なお、貫通孔は２つが好ましいが、１つであってもよい。
【００２１】
なお、上記実施例１、変形例においても、実施例２に用いた支持棒を併用することができる。これにより、接着剤が収縮したり毛束保持部材に対する接着力が低下したりしても、係止部と支持棒とによって毛束保持部材１７からの毛束１６の抜けを一層確実に防止できる。その他、上記各実施例に示したブラシについては一例であり、本発明の趣旨を逸脱しない範囲において種々変更して実施することができる。
【産業上の利用可能性】
【００２２】
本発明のブラシは、毛束に充填された接着剤が毛束保持部材に設けた貫通孔内にも一体で充填されることにより、毛束が接着剤によって貫通孔に係止された状態となり、あるいは毛束保持部材に設けた貫通孔に端部が係合した支持棒が毛束内を貫通し、接着剤が含浸された毛束が支持棒にも固定されることにより、毛束が貫通孔あるいは支持棒を介して貫通孔に固定された状態になっている。その結果、本発明においては、ブラシの長期の使用により、接着剤が収縮したり毛束保持部材に対する接着力が低下したりしても、毛束保持部材からの毛束の抜けを確実に防止できるので、有用である。
【図面の簡単な説明】
【００２３】
【図１】本発明の実施例１に係るブラシを示す正面図である。
【図２】同ブラシを概略的に示す底面図である。
【図３】同ブラシの毛束部を示す平面図である。
【図４】同ブラシを示す図３のＩＶ−ＩＶ線方向の断面図である。
【図５】同ブラシを構成する小ブラシ部を示す正面図である。
【図６】小ブラシ部を示す側面図である。
【図７】小ブラシ部を示す底面図である。
【図８】小ブラシ部を示す図６のＶＩＩＩ−ＶＩＩＩ線方向の断面図である。
【図９】実施例１の変形例である泡立て用ブラシを概略的に示す正面図である。
【図１０】同泡立て用ブラシの毛束と毛束保持部材を示す部分断面図である。
【図１１】同泡立て用ブラシの柄部を示す部分断面図である。
【図１２】実施例２に係るブラシを構成する小ブラシ部を示す正面図である。
【図１３】同小ブラシ部を示す図１２のＸ−Ｘ線方向の断面図である。
【符号の説明】
【００２４】
１０…ブラシ、１１…柄、１５，１５Ａ…小ブラシ部、１６…毛束、１７，１７Ａ…毛束保持部材、２２…上側部、２３，２６…貫通孔、２４…接着剤、２４ａ…係止部、２７…支持棒、３０…ブラシ、３１…毛束、３２…毛束保持部材、３３…貫通孔、３４…接着剤、３５…係止部、４１…柄部。
【図１】
2009022540.tif 000003
【図２】
2009022540.tif 000004
【図３】
2009022540.tif 000005
【図４】
2009022540.tif 000006
【図５】
2009022540.tif 000007
【図６】
2009022540.tif 000008
【図７】
2009022540.tif 000009
【図８】
2009022540.tif 000010
【図９】
2009022540.tif 000011
【図１０】
2009022540.tif 000012
【図１１】
2009022540.tif 000013
【図１２】
2009022540.tif 000014
【図１３】
2009022540.tif 000015